(57)【特許請求の範囲】
【請求項１】
長尺且つ屈曲自在な芯体に、軟質の樹脂又はエラストマーからなる被覆層を被覆してある跳び縄であって、
前記芯体を構成するに、柔軟且つ非伸縮性の繊維束である芯材を設け、硬質材料からなる係止部材の多数を、前記芯材の表面に大径部と小径部とがその芯材の長手方向に沿って、交互に形成されるように間隔をあけて前記芯材に対して不動に固設してあると共に、
前記被覆層が前記芯体を覆って密に被覆してある跳び縄。
【請求項２】
長尺且つ屈曲自在な芯体に、軟質の樹脂又はエラストマーからなる被覆層を被覆してある跳び縄であって、
前記芯体を構成するに、柔軟且つ非伸縮性の芯材を設け、硬質プラスチックからなる係止部材の多数を、前記芯材の表面に大径部と小径部とがその芯材の長手方向に沿って、交互に形成されるように間隔をあけて前記芯材に対して不動に固設してあると共に、
前記被覆層が前記芯体を覆って密に被覆してある跳び縄。
【請求項３】
前記硬質プラスチックが、蛍光材料、蓄光材料、発光材料から選ばれる少なくとも一種の着色材により着色されている請求項２記載の跳び縄。
【発明の詳細な説明】
【０００１】
本発明は、硬質材料から構成される屈曲自在且つ長尺の芯体に、軟質の樹脂又はエラストマーから構成される被覆層を被覆して設けてある跳び縄に関するものである。
【０００２】
【従来の技術】
従来、この種の跳び縄では、伸び易い素材を用いると、跳び縄が、回転動作時の遠心力を受けて伸びつつ撓むので、手首の回転が跳び縄に伝わり難くなっていた。これによって、手首の回転と跳び縄の回転との間に時間的なロスが生じ、縄跳び運動に悪影響を与えていた。特に、このような操作性の問題は、二重跳び、三重跳びといった高速回転を行なうときに顕著であった。そのため、この問題点を改良するために、跳び縄の材質としては、伸びの少ない材料又は配合を採用していた。又、跳び縄に柔軟性がないと、折り目に型がつくなどして取扱い難いので、一定の柔軟性が必要であるとされてきた。
しかし、従来のＪＩＳ  Ｋ  ６３０１に規定するスプリング硬さが７０度程度のゴムからなる跳び縄は、比較的伸び難いが、柔軟性に欠けるために、取扱い難いという問題点があった。一方、スプリング硬さが３０〜６０度程度のエラストマーからなる跳び縄は、柔軟性に富むが、伸びが著しいために、操作性に劣るという問題点があった。
【０００３】
そこで、これらの要望を達成するべく、例えば、実公昭第４７−３６４５８号公報、実開昭第５２−１１４８５５号公報、実公昭第５０-２４８７０号公報のように、特性の異なる２種の材料を用いた跳び縄が提案されている。
【０００４】
【発明が解決しようとする課題】
しかしながら、実公昭第４７−３６４５８号公報に記載の構成によると、適当な強靭性と柔軟性をもった芯体を熱可塑性樹脂で被覆してあるものの、両者とも軟質に構成してあるために、やはり、上述の柔軟性と伸縮性との両立は困難であった。又、実開昭第５２−１１４８５５号公報に記載されているように、芯体に繊維糸を引きそろえたものを使用すると共に、その表面にゴム又は合成樹脂の被覆層を設けた構成によれば、前記芯体と前記被覆層とが摺動してずれを生じやすく、逆に操作性に問題を生じやすくなる問題があった。更に又、実公昭第５０-２４８７０号公報に記載の構成によると、見掛け比重を増大させて回転力を得やすいように鎖を芯体としているものの、被覆する可撓性のプラスチックチューブとの間に空間が存在するため、やはり、芯材とプラスチックチューブとの間に摺動が生じやすく、逆に操作性に問題を生じやすくなる問題があった。
いずれにしても、これらの跳び縄では、使用中に、柔軟性を有する素材からなる被覆層が回転により生じる遠心力を受けて伸張しようとするのに対して、強靭性を備えた素材からなる芯体は伸張し難いので、前記芯体と前記被覆層との間でずれが生じて操作性に劣るという問題点があった。
従って、上述した従来の跳び縄によれば、完全に伸びを抑制することと、柔軟性を保つことを両立させるのは非常に困難であった。
【０００５】
本発明の目的は、上記欠点に鑑み、柔軟性に富み、且つ、伸びが生じ難い跳び縄を提供することにある。
【０００６】
【課題を解決するための手段】
この目的を達成するための本発明の跳び縄の特徴構成は、
長尺且つ屈曲自在な芯体に、軟質の樹脂又はエラストマーからなる被覆層を被覆してある跳び縄であって、
前記芯体を構成するに、柔軟且つ非伸縮性の繊維束である芯材を設け、硬質材料からなる係止部材の多数を、前記芯材の表面に大径部と小径部とがその芯材の長手方向に沿って、交互に形成されるように間隔をあけて前記芯材に対して不動に固設してあると共に、
前記被覆層が前記芯体を覆って密に被覆してある点にある。
【０００７】
本発明に係る跳び縄の芯体は、柔軟且つ非伸縮性の繊維束である芯材を用いて構成されていて、この芯体をほぼ全長に亘って設けると、ほとんど伸びのない跳び縄を形成することができ、又、屈曲自在であるために、跳び縄の柔軟性を損ない難い。そして、前記芯材に、軟質の樹脂又はエラストマーから構成される被覆層を密に被覆することによって、前記芯体を保護することが出来、又、触感が柔らかくなるので人体と接触したときの安全性も向上する。
ここで、前記芯材に前記被覆層を単に被覆したのみであると、前掲の如く、使用時（回転時）に、遠心力等の作用によって、両者にずれが生じて分離してしまう虞があったが、本発明に係る跳び縄においては、硬質材料からなる係止部材の多数を、前記芯材の表面に大径部と小径部とがその芯材の長手方向に沿って、交互に形成されるように間隔をあけて前記芯材に対して不動に固設してあるので、これを前記被覆層で密に被覆すると、前記芯体と前記被覆層とは凹凸面にて接触することになる。そして、前記芯体と前記被覆層の接触面における摺動抵抗が大きくなって、滑り止めの役目を果たし、該芯体と前記被覆層との接触面におけるずれを防止することができる。従って、被覆層が引っ張られても挙動を共にする芯体が伸びないので、該芯体と被覆層の挙動を一体化することができ、跳び縄全体として極めて伸びが生じ難くなる。
又、前記小径部は、前記芯材が周方向の全面に亘って前記被覆層と密に接することによって屈曲可能に構成されているので、前記跳び縄の屈曲性を維持することができる。
尚、本発明に係る跳び縄は、前記被覆層を軟質の樹脂又はエラストマーにより形成してあるので、折りたたんだとしても型がつき難い。又、前記被覆層を構成する軟質の樹脂又はエラストマーは、これのみが密に充填されているものではないので、従来知られているゴム又はエラストマーからなる跳び縄と比較して、該ゴム又はエラストマーの介在する厚みが少なく設定され、更に、折り目に型が付き難くなっている。
【０００８】
更に、前記芯材が、繊維束であるため、柔軟で非伸縮である上に、前記繊維束を構成する夫々の単繊維間に前記係止部を構成する硬質材料が浸入することによって強固に接着し易いので、前記係止部材を前記芯材に不動に固設することができる。
【０００９】
また、この目的を達成するための本発明の跳び縄の別の特徴構成は、
長尺且つ屈曲自在な芯体に、軟質の樹脂又はエラストマーからなる被覆層を被覆してある跳び縄であって、
前記芯体を構成するに、柔軟且つ非伸縮性の芯材を設け、硬質プラスチックからなる係止部材の多数を、前記芯材の表面に大径部と小径部とがその芯材の長手方向に沿って、交互に形成されるように間隔をあけて前記芯材に対して不動に固設してあると共に、
前記被覆層が前記芯体を覆って密に被覆してある点にあり、
更に、前記硬質プラスチックが、蛍光材料、蓄光材料、発光材料から選ばれる少なくとも一種の着色材により着色されていることが好ましい。
前記係止部材が、硬質プラスチックにより構成されているため、前記繊維との固着性が高く、成形等の加工を容易に施すことができ、又、着色等による意匠性の向上を図りやすい。
【００１０】
ここで、前記硬質プラスチックに着色を施す際に、蛍光材料、蓄光材料、発光材料から選ばれる少なくとも一種の着色材を用いて、前記被覆層を透明材料とすることによって、夜間の使用であっても、視認し易い跳び縄を提供することができる。
【００１１】
【発明の実施の形態】
以下に本発明の実施の形態を図面に基づいて説明する。
図１に示すように、本発明に係る跳び縄１は、軟質の樹脂又はエラストマーから構成される被覆層２が、芯体３を、密に被覆しているものである。ここで、前記芯体３は、硬質材料から構成された芯材３０を備え、その表面には、長手方向に間隔をおいて、硬質材料から構成された係止部材３１を固設して大径部３３を形成してある。
具体的には、前記被覆層２を構成する素材としては、軟質の樹脂又はエラストマーが用いられ、特に、塩化ビニル（ＰＶＣ）、各種熱可塑性エラストマー等が好適である。又、前記芯材３０を構成する素材としては、金属、樹脂、又は繊維を用いることが好ましい。そして、前記係止部材３１を構成する素材としては、前記芯材３０を構成する素材と親和性が高い素材を採用すると、前記芯材３０表面から剥離し難くなる。又、前記係止部材３１を硬質プラスチックにより構成して、着色を施してあっても良い。
ここで、前記係止部材３１は、外部から加圧されても変形し難いので、前記芯材３０の表面に前記係止部材３１を設けて凹凸を形成することによって、前記被覆層２と前記芯体３との接合面に大きな摺動抵抗が生まれ、前記被覆層２と芯体３とが、その長手方向にずれるのを防ぐことができる。
尚、前記跳び縄１は、前記芯体の小径部３２が屈曲自在に構成されているので、全体としては、柔軟性に富み、且つ、伸びが生じ難いものとなっている。
【００１２】
【実施例】
以下に、本発明に係る跳び縄１の実施例を説明する。
図１は、本発明に係る跳び縄１を表わしたものである。前記芯材３０として伸縮性に乏しく屈曲自在なナイロン製繊維束を用い、その表面に、長手方向に一定の間隔を隔てて、蛍光蓄光材料を混合したポリアセタール製の係止部材３１を被覆して大径部３３を形成し、前記芯体３を構成してある。そして、半透明で柔軟性に富んだスチレン系ＴＰＥ製被覆層２を、前記芯体３の全域に亘って被覆して、前記跳び縄１を形成してある。
この跳び縄１は、柔軟性に富み、且つ、伸びが生じ難いものとなっている上に、更に、内装した係止部材３１の発する蛍光が、前記半透明の被覆層２を透過可能に構成してあるので、夜間であっても前記跳び縄１の所在を容易に察知することができ、安全性も向上している。
【図面の簡単な説明】
【図１】本発明に係る跳び縄の部分断面図
【符号の説明】
１    跳び縄
２    被覆層
３    芯体
３０  芯材
３１  係止部材
３２  小径部
３３  大径部
【図１】
0004378006.tif 000002